(57)【要約】【課題】  簡素で安価に構成することができながら、簡単な操作で高さ調節機構の噛み合わせを確実に維持できるロック機構を備えた歩行器を提供する。【解決手段】  スライドロック機構７として、ラック部材７１と、スライド部材７３と、ラック部材７１の歯７１１と係合してフレーム４のスライドを固定する係合位置と、ラック部材７１の歯７１１と係合を解除した解除位置との間で移動自在にスライド部材に支持されているつめ部材７６と、回転により突起部７７６を起立させ、係合位置にあるつめ部材７６とスライド部材７３との間に突起部７７６を介在させ、回転により突起部７７６を倒伏させ、つめ部材７６を移動自在にするロック部材７７とを有する構造とする。【選択図】  図５
2006304896.tif 000002
【特許請求の範囲】
【請求項１】
車輪に支持されたリング状の下枠部材と、幼児を受け入れる開口部が設けられている上枠部材と、前記下枠部材と前記上枠部材とを相互に平行に離間接近可能に連結し、互いに交差している交差部分で互いに回転自在に軸支されている逆Ｕ字状の第１フレームと逆Ｕ字状の第２フレームとを有し、
前記第１フレームが、前記上枠部材下面に周方向に回転自在に軸支され、前記下枠部材に前後方向にスライド自在に取り付けられ、
前記第２フレームが、前記上枠部材の下面にスライドロック機構を介して、周方向に回転自在、かつ前後方向にスライド自在に取り付けられ、前記下枠部材に回転自在に軸支され、
前記スライドロック機構が、前記上枠部材の下面に前後方向に固定されているラック部材と、前記第２フレームを回転自在に軸支すると共に、前記上枠部材の下面を前後方向にスライド可能に取り付けられているスライド部材と、前記ラック部材の歯と係合して前記第２フレームのスライドを固定する係合位置と、前記ラック部材の歯と係合を解除した解除位置との間で移動自在に前記スライド部材又は前記第２フレームに支持されているつめ部材と、回転自在に前記スライド部材に支持され、回転により突起部を起立させることにより、前記係合位置にあるつめ部材と前記スライド部材との間に前記突起部を介在させて前記つめ部材をロックし、回転により前記突起部を倒伏させることにより、前記つめ部材を前記係合位置から前記解除位置へ移動自在にするロック部材とを有することを特徴とする歩行器。
【請求項２】
請求項１記載の歩行器において、
前記突起部が起立しているときに前記スライド部材の壁面に設けられている係止用突起又は凹みに対して前記ロック部材に設けられている係止用凹み又は突起が前記係止用突起又は凹みへ付勢されて噛み合っていることにより前記ロック部材の回転が係止されるようにしたことを特徴とする歩行器。
【請求項３】
請求項１又は２記載の歩行器において、
前記スライド部材に、前記つめ部材を上方に付勢する板バネが一体に設けられていることを特徴とする歩行器。
【発明の詳細な説明】
【技術分野】
【０００１】
本発明は、幼児の歩行練習のための歩行器に関する。
【背景技術】
【０００２】
幼児の成長過程において、歩行の練習等のために、従来より歩行器が用いられている。このような歩行器では、幼児の成長過程に合わせて高さ調節が可能であることが要望される。また、歩行器の高さ調節機構は、ラックとつめの噛み合わせで設定した高さを維持するようになっているため、不用意にラックと爪の噛み合わせが外れないような安全性が求められる。そのため、歩行器の高さ調節機構には、例えば特許文献１に示すように、ラックとつめの噛み合わせを維持するようなロック機構が設けられることが多い。
【特許文献１】特許第２８６０５２９号
【発明の開示】
【発明が解決しようとする課題】
【０００３】
しかしながら、従来のロック機構は、機構が複雑で、部品点数が多くなり、コスト高を招くという問題がある。また、例えば高さ調節機構を覆うカバー部材と組み合わされたロック機構は、強度の点で問題がある。
本発明は、上記事情に鑑みてなされたもので、簡素で安価に構成することができながら、簡単な操作で高さ調節機構の噛み合わせを確実に維持できるロック機構を備えた歩行器を提供することを目的とする。
【課題を解決するための手段】
【０００４】
上記目的を達成するため、本発明は、第１に、車輪に支持されたリング状の下枠部材と、幼児を受け入れる開口部が設けられている上枠部材と、前記下枠部材と前記上枠部材とを相互に平行に離間接近可能に連結し、互いに交差している交差部分で互いに回転自在に軸支されている逆Ｕ字状の第１フレームと逆Ｕ字状の第２フレームとを有し、前記第１フレームが、前記上枠部材下面に周方向に回転自在に軸支され、前記下枠部材に前後方向にスライド自在に取り付けられ、前記第２フレームが、前記上枠部材の下面にスライドロック機構を介して、周方向に回転自在、かつ前後方向にスライド自在に取り付けられ、前記下枠部材に回転自在に軸支され、前記スライドロック機構が、前記上枠部材の下面に前後方向に固定されているラック部材と、前記第２フレームを回転自在に軸支すると共に、前記上枠部材の下面を前後方向にスライド可能に取り付けられているスライド部材と、前記ラック部材の歯と係合して前記第２フレームのスライドを固定する係合位置と、前記ラック部材の歯と係合を解除した解除位置との間で移動自在に前記スライド部材又は前記第２フレームに支持されているつめ部材と、回転自在に前記スライド部材に支持され、回転により突起部を起立させることにより、前記係合位置にあるつめ部材と前記スライド部材との間に前記突起部を介在させて前記つめ部材をロックし、回転により前記突起部を倒伏させることにより、前記つめ部材を前記係合位置から前記解除位置へ移動自在にするロック部材とを有することを特徴とする歩行器を提供する。
【０００５】
この歩行器は、突起部を有するロック部材を回転可能に設け、ロック部材を回転させることにより突起部を起立及び倒伏させ、突起部を起立させたときにラック部材の歯と係合しているつめ部材と前記スライド部材との間に突起部を介在させてラックとつめの噛み合わせを維持し、突起部を倒伏させたときにつめ部材を移動自由にしてラック部材の歯とつめ部材の噛み合わせを解除できるようになっている。そのため、本発明の歩行器におけるロック機構は、極めて簡易な構成でありながら、回転させるだけの簡単な操作でロックさせたりロックを解除することができ、しかも、突起部を介在させることにより確実にロックを維持させることができる。
【０００６】
また、本発明は、第２に、上記第１の歩行器において、前記突起部が起立しているときに前記スライド部材の壁面に設けられている係止用突起又は凹みに対して前記ロック部材に設けられている係止用凹み又は突起が前記係止用突起又は凹みへ付勢されて噛み合っていることにより前記ロック部材の回転が係止されるようにしたことを特徴とする歩行器を提供する。
【０００７】
このように突起部の起立状態を維持するようにロック部材の回転が係止されるようにすることによって、ロック状態を維持できるため、安全性を高めることができる。
【０００８】
また、本発明は、第３に、上記第１又は２の歩行器において、前記スライド部材に、前記つめ部材を上方に付勢する板バネが一体に設けられていることを特徴とする歩行器を提供する。
【０００９】
つめ部材を上方に付勢するバネを設けることによって、つめ部材が不用意に降下してラック部材の歯との噛み合わせが解除されることを防止して安全性を高めることができると共に、スライド部材に一体に板バネを形成することによって簡易な構成とすることができる。
【発明の効果】
【００１０】
本発明の歩行器は、簡素でありながら、簡単な操作で高さ調節機構の噛み合わせを確実に維持でき、安全性を高めることができる。
【発明を実施するための最良の形態】
【００１１】
以下、本発明の歩行器の実施の形態について図面を参照しながら説明するが、本発明は以下の実施の形態に限定されるものではない。
図１は、本発明の歩行器の一実施形態の全体を示すもので、（ａ）は側面図、（ｂ）は上面図である。
【００１２】
本実施形態の歩行器１は、比較的簡素な構造であり、低コストで製造できるようになっている。この歩行器１は、前方側の幅が後方側から増加している卵形状のリング状の下枠部材２と、この下枠部材２の内側にほぼ収まる大きさの卵形状の上枠部材３と、これらの下枠部材２と上枠部材３とを連結するＸ型フレーム4とを備える。
【００１３】
下枠部材２は、合成樹脂で構成され、ほぼ垂直方向の外周壁とほぼ垂直方向の内周壁とが水平方向の上面壁を介して一体化された断面構造を有する。複数個の転向自在型のキャスタ（車輪）５が外周壁と内周壁とを掛け渡す図示しないリブに着脱自在に取り付けられており、下枠部材２は、キャスタ５に支持されて床面を自由な方向へ動けるようになっている。
【００１４】
上枠部材３は、合成樹脂で構成され、前部側にテーブル３１が形成され、後部側に乳幼児が座るバケットシート６が装着される身体保持孔３２が穿設されている。バケットシート６は背もたれ部６１と乳幼児の脚を出す穴を有するおむつ状の部材６２を備える。前部側のテーブル３１には、音や光を出す種々のおもちゃを組み込んだ図示しないおもちゃボードを収納する凹部３３が設けられている。
【００１５】
Ｘ型フレーム4は、金属製のパイプで構成され、逆Ｕ字状の第１フレーム４１と逆Ｕ字状の第２フレーム４２とを備える。第１フレーム４１と第２フレーム４２のそれぞれの端部には、合成樹脂製のキャップが嵌め込まれている。第１フレーム４１の左右の脚部４１１の下端が下枠部材２の後端部に回動自在に軸支され、脚部４１１相互を連結する横腕４１２が上枠部材３の前側下面にスライドロック機構７を介してスライド自在に、かつ周方向に回動自在に取り付けられている。
【００１６】
一方、第２フレーム４２の脚部４２１相互を連結する横腕４２２が上枠部材３の後部下面に周方向に回動自在に取り付けられ、左右の脚部４２１の下端に取り付けられた軸棒が、下枠部材２の前端側に内周壁から膨出した部分に穿設された前後方向に長いスライド長孔2４に挿入され、脚部４２１の下端はスライド長孔2４に案内されて下枠部材２の前部にスライド自在に取り付けられている。スライド長孔2４の前端部に屈曲路が設けられている。また、第１フレーム４１と第２フレーム４２の左右のそれぞれの脚部４１１、４２１はそのほぼ中央で交差し、交差する部分で樹脂製の軸支部材４３により交差角度変更自在に軸支されている。
【００１７】
このように、下枠部材２、上枠部材３及びＸ型フレーム4は、リンク機構を構成し、上枠部材３と下枠部材２は平行を保ち、Ｘ型フレーム4の交差角度により上枠部材３と下枠部材２の離間距離が決まる。従って、第１フレーム４１の横腕４１２のスライド位置又は第２フレーム４２の脚部４２１の下端のスライド長孔2４におけるスライド位置によって上枠部材３の高さが決定され、いずれかのスライド位置が固定されると、上枠部材３の位置が固定される。上枠部材３を最大限降下させると、上枠部材３は下枠部材2
に囲まれた状態で収納され、厚さが最小限となって、収納に便利になっている。
【００１８】
以下、本実施形態の歩行器におけるスライドロック機構について説明する。図２は、スライドロック機構を垂直方向の下側から見た斜視図である。図３は、スライドロック機構を斜め左下から見た斜視図である。図４は、スライドロック機構を構成するスライド部材を示すもので、（ａ）は上面図、（ｂ）は（ａ）のＡ−Ａ’に沿った矢印方向の断面図、（ｃ）は左側面図、（ｄ）はスライドレール部材と組み合わせた（ｂ）のＢ−Ｂ’線に沿った矢印方向の断面図である。図５はスライドロック機構の動作を説明する概略構成図であり、（ａ）はつめが係合位置にある場合、（ｂ）はつめが係合解除位置にある場合を示している。図６はロック部材の係止機構を説明する概略構成図であり、（１）（ａ）は係止機構が噛み合っているときの垂直方向上側から見た構成図、（１）（ｂ）はそれを側方から見た構成図、（２）（ａ）は係止機構が解除されているときの垂直方向上側から見た構成図、（２）（ｂ）はそれを側方から見た構成図である。
【００１９】
スライドロック機構７は、図２に示すように、上枠部材３のテーブル３１下面の左右方向の中心部に前後方向に延伸し、上枠部材３と一体に設けられているラック部材７１を有する。このラック部材７１には、後側に面する垂直壁とこの垂直壁から前面側に高さが漸次減じるテーパー部を有する歯７１１が前後方向に数段設けられている。
【００２０】
上枠部材３下面の前部の左右方向の中心部に、前後方向に延びる略矩形状の樹脂製のリング形状のスライドレール部７２がラック部材７１を取り囲んでネジ止めで取り付けられている。このスライドレール部７２は、図４（ｄ）に示すように、断面が中空の四角筒の上枠部材３側の内側角部を切り取った形状で、内側の垂直壁の上端縁が後述するスライド部材のスライド部が載置され、左右の側壁がスライド部材のスライド部を挟んで案内するようになっている。
【００２１】
スライドロック機構７は、第１フレーム４１の横腕４１２の中央部にこの横腕４１２を通しているスライド部材７３を備えている。スライド部材７３は、図４に示すように、全体が樹脂の一体成形で形成されており、矩形状の底壁７３１の左右両端縁に矩形板状の左側壁７３２と右側壁７３３が一体に設けられ、底壁７３１と側壁７３２，７３２の後端縁を連結して矩形板状の後壁７３４が一体に設けられている上部側と前面側が開放された矩形箱形状が形成されている。左右の側壁７３２，７３３の外面間の距離は、図４（ｄ）に示すように、スライドレール部７２の内側の垂直壁間の距離とほぼ等しくなっている。底壁７３１の前端部に斜め下方に傾斜する平板状の取っ手部７３５が一体に設けられている。両側壁７３２，７３３の前端の下部は前方に向かって延伸し、取っ手部７３５の左右両端部と一体になっている。左右の側壁７３２，７３３の上端縁には、それぞれ外方水平方向へ延びる板状のスライド部７３６が一体に設けられている。このスライド部７３６は、図４（ｄ）に示すように、スライドレール部７２に挿入され、スライドレール部７２に案内されて前後方向にスライド自在に摺動するようになっており、これにより、スライド部材７３はスライドレール部７２に前後方向にスライド自在に支持されている。スライド部材７３の左右の側壁７３２，７３３の中央よりやや後方側には、第１フレーム４１の横腕４１２の中央部が回転自在に挿入されるフレーム挿入孔７３７が穿設され、フレーム挿入孔７３７に第１フレーム４１の横腕７１２が通されている。また、図２、図３に示すように、スライド部材７３のフレーム挿入孔７３７に挿入されている横腕４１２のスライド部材７３に近接して両側にネジ止めで固定部材７４が固定されている。固定部材７４が横腕４１２にスライド部材７３を両側から挟んで固定されていることにより、スライド部材７３はスライドレール部７２を左右方向にぶれずに安定してスライドすることができる。横腕４１２はスライド部材７３とスライドレール部７２を介して上枠部材３の下面を前後方向にスライド自在になっている。
【００２２】
スライド部材７３の底壁７３１には、底壁７３１の左右の両端部に前後方向に沿った底壁７３１を貫通する直線状の長孔とその長孔の前端縁を結ぶ長孔で板バネ部７５が形成されている。板バネ部７５は前後方向の長孔の後端部でスライド部材７３の底壁７３１と一体に片持ばりで支持されている。図５に示すように、板バネ部７５の前端部の上面には垂直方向に突出する矩形板状の当接部７５１が一体に設けられている。
【００２３】
スライド部材７３の左右の側壁７３２，７３３のフレーム挿入孔７３７の前方側にシャフトを回転自在に支持するシャフト受け孔７３８が穿設されており、このシャフト受け孔７３８に両端縁にリベットで形成された頭７６１（図３参照）を有する金属シャフト７６２が回転可能に支持されている。図５に示すように、この金属シャフト７６２を通す円筒状のボス７６３を有するつめ部材７６がスライド部材７３の中に金属シャフト７６２を軸として回転可能に取り付けられている。つめ部材７６は、ボス７６３から放射方向に延伸する矩形板状の操作板７６４がボス７６３と一体に設けられている。操作板７６４は金属シャフト７６２を軸として回転自在になっている。操作板７６４の前端縁は、図５に示すように、スライド部材７３の取っ手部７３５の前端縁とほぼ一致するようになっている。操作板７６４の上面には、ラック部材７１の歯７１１の垂直壁と係合する断面三角形のつめ７６５が突出して一体に設けられている。操作板７６４の下面の中央部には収納凹部７６６が設けられ、この収納凹部７６６に対応して操作板７６４は収納凹部７６６の部分で上方にやや突出し、収納凹部７６６の部分の厚さが減じないようになっている。操作板７６４の収納凹部７６６より基端側の底面には、スライド部材７３の板バネ部７５の当接部７５１先端が常に当接しており、つめ部材７６は板バネ部７５により上方に付勢されている。つめ部材７６は、図５（ａ）に示すつめ７６５がラック部材７１の歯７１１と係合している係合位置と、図５（ｂ）に示すつめ７６５がラック部材の歯と係合を解除した解除位置との間で、板バネ部７５によって上方に付勢されながら金属シャフト７６２を軸として回転自由になっている。
【００２４】
図４（ｂ）、図４（ｃ）に示すように、スライド部材７３の左右の側壁７３２，７３３の取っ手部７３５を支える延伸部分の下端部にロック部材７７を回転自在に支える軸受け孔７３９が穿設されている。左側の側壁７３２の外面の軸受け孔７３９の周縁の上下それぞれに係止用突起７７１が設けられている。この係止用突起７７１は、図６に示すように、側面側から見ると矩形状の形状で、水平方向の断面が弓形となっている。
【００２５】
軸受け孔７３９にロック部材７７が回転自在にかつ軸方向に摺動自在に支持されている。ロック部材７７は、図６に示すように、軸受け孔７３９に回転自在にかつ軸方向に摺動自在に支持される円柱状の軸棒７７２の左側端面にスライド部材７３の左側壁７３２の外面側に位置する短軸円筒状の頭７７３が一体に設けられている。軸棒７７２はスライド部材７３の取っ手部７３５の上面に近接して配置されている。この頭７７３の外周面に一体にレバー７７４が設けられている。レバー７７４の表面には滑り止めの凹凸が設けられている。また、頭７７３の直径方向の両側の軸棒７７２側の周壁に、スライド部材７３の係止用突起７７１と噛み合う円弧状の切り欠き形状の係止用凹部７７５が設けられている。軸棒７７２の中央部に矩形板状の突起部７７６が軸棒７７２の放射方向に一体に突出して設けられている。突起部７７６の左側面と一体に軸棒７７２から突出したリング状のバネ受け部７７７が設けられている。バネ受け部７７７とスライド部材７３の左側壁７３２との間にコイルバネ７７８が軸棒７７２に巻き付けられて介在している。コイルバネ７７８は圧縮されており、ロック部材７７を右方向、即ち、頭７７３がスライド部材７３の左側壁７３２の外面に付勢するようにロック部材７７を付勢する付勢手段として機能する。
【００２６】
ロック部材７７の頭７７３の係止用凹部７７５、レバー７７４、突起部７７６の軸方向における位置関係は、図６（１）に示すように、軸受け孔７３９の中心を通る垂直方向の上下に配列されている係止用突起７７１にロック部材７７の係止用凹部７７５が噛み合っている状態では、突起部７７６は垂直方向よりわずかに前方へ傾斜した上向きとなり、レバー７７４は斜め前方へほぼ４５゜傾斜した上向きとなる。この係止用突起７７１と係止用凹部７７５とが噛み合っている状態では、ロック部材７７の頭７７３がスライド部材７３の左側壁７３２の外面にコイルバネ７７８で付勢されているため、係止用突起７７１と係止用凹部７７５とが互いに噛み合っている状態を維持するように係止される。ロック部材７７のレバー７７４を下方に押し下げてロック部材７７を回転させると、図６（２）に示すように、係止用突起７７１と係止用凹部７７５の噛み合わせが解除され、頭７７３が係止用突起７７１を乗り越え、ロック部材７７全体が軸受け孔７３９内をやや左側へ摺動し、頭７７３が係止用突起７７１に付勢されて乗ったまま回転自在になる。
【００２７】
このような歩行器１の使用方法について説明する。図１（ａ）に示すように、第２フレーム４２の先端がスライド長孔2４の最も後端側に位置するときには、上枠部材３が最も高い位置に設定されており、つめ部材７６のつめ７６５はラック部材７１の最も後段の歯７１１と係合し、第２フレーム４２のスライドが停止されている。図３は、つめ部材７６のつめ７６５がラック部材７１の第２段の歯７１１と係合している状態を示すものであるが、つめ部材７６の操作板７６４とスライド部材７３の取っ手部７３５との間は離間し、つめ部材７６の操作板７６４の収納凹部７６６後端部と取っ手部７３５の上面との間にはロック部材７７の突起部７７６が介在し、つめ部材７６をロック部材７７がロックしている。このロック状態を図５（ａ）で説明すると、突起部７７６の先端面がつめ部材７６の凹部７６６後端部に嵌り込むロック位置にあり、ロック部材７７の突起部７７６が起立してつめ部材７６の操作板７６４とスライド部材７３の取っ手部７３５の間に突っ支い棒の如く介在している。ロック部材７７の突起部７７６が起立したロック位置にあるときには、図６（１）に示すように、係止用突起７７１に対して係止用凹部７７５がこの突起７７１側へ付勢されて噛み合っており、ロック部材７７の回転はこれらの係止機構の噛み合いにより係止され、不用意に動くことはない。ロック状態のときに、ロック部材７７のレバー７７４は斜め上方を向いている。
【００２８】
上枠部材３の高さを変更するときには、まず、ロック部材７７によるロックを解除する必要がある。ロック部材７７のレバー７７４を下方に押し下げると、係止用突起７７１を係止用凹部７７５が乗り越え、ロック部材７７の頭７７３が係止用突起７７１に乗り上げ、ロック部材７７全体が軸受け孔７３９内をやや左側へ摺動し、ロック部材７７の係止が解除される。更にロック部材７７のレバー７７４を押し下げると、図５（ｂ）に示すように、ロック部材７７の頭７７３が係止用突起７７１に乗り上げたままロック部材７７が回転し、突起部７７６の先端がスライド部材７３の取っ手部７３５の上面に当接して倒伏したロック解除位置に達した状態となり、ロック部材７７の回転が停止される。突起部７７６が倒伏したロック解除位置では、つめ部材７６は回転が自由になる。
【００２９】
その後、つめ部材７６の操作板７６４に親指をかけ、スライド部材７３の取っ手部７３５に人差し指をかけ、操作板７６４を押し下げる。操作板７６４を押し下げることにより、つめ部材７６は板バネ部７５の付勢力に抗してシャフト７６２を軸として回転し、図５（ｂ）に示すように、つめ部材７６の操作板７６４がスライド部材７３の取っ手部７３５に接近し、ロック部材７７の突起部７７６はつめ部材７６の操作板７６４の収納凹部７６６の中に収まり、つめ部材７６の回転は操作板７６４の下面がロック部材７７の突起部７７６に当接することによって停止される。つめ部材７６がこの解除位置に達したとき、図５（ｂ）に示すように、つめ７６５がラック部材７１の歯７１１から離間し、つめ７６５と歯７１１の係合が解除される。つめ部材７６が降下しているときには、つめ部材７６に板バネ部７５が押し下げられ、変形している状態となっている。
【００３０】
操作板７６４を最も下方に押し下げ、つめ７６５と歯７１１の係合が解除されている状態で、上枠部材３の高さを適宜変更し、その高さの位置に相当するラック部材７１の歯７１１を選択した後、操作板７６４から指を離すと、板バネ部７５が弾性復帰するようにつめ部材７６を上方へ付勢させることによって、つめ部材７６は自然に上昇し、つめ７６５がラック部材７１の歯７１１と係合し、つめ７６５と歯７１１の噛み合わせが再び行われる係合位置に達する。その後、ロック部材７７のレバー７７４を押し上げると、係止用突起７７１にロック部材７７の頭７７３が乗り上げた状態で回転し、ロック部材７７の突起部７７６が倒伏状態から起立し、突起部７７６の先端がつめ部材７６の操作板７６４の凹部７６６の下面に当接するロック位置に達して起立したときに、同時に係止用突起７７１に係止用凹部７７５が嵌り、係止用凹部７７５と係止用突起７７１の噛み合いが再び行われ、ロック部材７７は係止される。
【００３１】
歩行器１を収納するときには、前述したつめ７６５と歯７１１の噛み合いを解除している状態で、上枠部材３を自然降下させる。上枠部材３が降下すると、第２フレーム４２の前端がスライド長孔2４に案内されて前進し、屈曲路で一旦前進が停止され、上枠部材３が下枠部材２に収まる直前で上枠部材３の降下が停止される。これによって、不用意に上枠部材３と下枠部材２との間に指などを挟む危険性を回避して安全性を高めている。
【００３２】
上枠部材３の降下が屈曲路で一旦停止している状態で、第２フレーム４２の前端を持ち上げ、スライド長孔2４の中を更に前進させて第２フレーム４２の前端がスライド長孔2４の前端部に位置するようにすると、上枠部材３は下枠部材２に囲まれた状態で収納され、極めてコンパクトになる。
【００３３】
本実施形態の歩行器は、ロック部材のレバーを押し下げたり押し上げたりする操作でロック部材を回転させ、つめ部材の動きを停止するロック位置とつめ部材の動きが自由になるロック解除位置に突起部を配置することが可能である。ロック位置では起立した突起部が突っ支い棒の如く介在するので、ロックの強度は十分である。しかも、ロック位置でロック部材の回転が係止されるため不用意にロックが解除されることがない。また、係止の解除はレバーを押し下げる動作だけでよい。このように、ロック部材の構造が簡単でありながら、簡単な操作で確実にロックを行ったりロックを解除することができる。また、つめ部材を上方に付勢する付勢手段としてスライド部材と一体成形で形成される板バネ部を用いており、特別な部品を用いていないので、この点でも構造が簡易で、低コストで製造することができる。
【００３４】
上記説明では、スライド部材に係止用突起を設け、ロック部材に係止用凹部を設けた例で説明しているが、スライド部材に係止用凹部を設け、ロック部材に係止用突起を設けてもよい。
【産業上の利用可能性】
【００３５】
本発明の歩行器は、幼児の歩行練習に利用することができる。
【図面の簡単な説明】
【００３６】
【図１】本発明の歩行器の一実施形態を示すもので、（ａ）は側面図、（ｂ）は上面図である。
【図２】スライドロック機構を垂直方向の下側から見た斜視図である。
【図３】スライドロック機構を斜め左下から見た斜視図である。
【図４】スライドロック機構を構成するスライド部材を示すもので、（ａ）は上面図、（ｂ）は（ａ）のＡ−Ａ’に沿った矢印方向の断面図、（ｃ）は側面図、（ｄ）はスライドレール部材と組み合わせた（ｂ）のＢ−Ｂ’線に沿った矢印方向の断面図である。
【図５】スライドロック機構の動作を説明する概略構成図であり、（ａ）はつめが係合位置にある場合、（ｂ）はつめが係合解除位置にある場合を示している。
【図６】ロック部材の係止機構を説明する概略構成図であり、（１）（ａ）は係止機構が噛み合っているときの垂直方向上側から見た構成図、（１）（ｂ）はこれを側方から見た構成図、（２）（ａ）は係止機構が解除されているときの垂直方向上側から見た構成図、（２）（ｂ）はこれを側方から見た構成図である。
【符号の説明】
【００３７】
１：歩行器
２：上枠部材
３：下枠部材
４：フレーム
４１：第１フレーム
４２：第２フレーム
７：スライドロック機構
７１：ラック部材
７１１：歯
７２：スライドレール部
７３：スライド部材
７５：板バネ部
７６：つめ部材
７６５：つめ
７７：ロック部材
７７１：係止用突起
７７５：係止用凹部
【図１】
2006304896.tif 000003
【図２】
2006304896.tif 000004
【図３】
2006304896.tif 000005
【図４】
2006304896.tif 000006
【図５】
2006304896.tif 000007
【図６】
2006304896.tif 000008